(57)【要約】【課題】頑丈な構造であっても簡易な構造に構成でき、さらに軒樋が損傷することを防止できる軒樋支持具を提供する。【解決手段】受け板部Ａは、建物の外面７より突出するようにして、板面を横方向に向けて配される本体部１０と、本体部１０の後端より折曲延出された、建物の外面７に固定される取付部２０とを備えており、本体部１０は、軒樋５を受け支持する支持部１１と、支持部１１の後方に延びた基部１６とを備え、基部１６には、上下方向に延び、取付部２０側に突出した補強用凸条部１７が折曲形成されており、２枚の受け板部Ａは、本体部１０どうしが略平行となるように板面を対向させて相互に連結されている。【選択図】図１
2019173377.tif 000002
【特許請求の範囲】
【請求項１】
２枚の受け板部を組み合わせてなる軒樋受け具であって、
前記受け板部は、建物の外面より突出するようにして、板面を横方向に向けて配される本体部と、該本体部の後端より折曲延出された、前記建物の外面に固定される取付部とを備えており、
前記本体部は、軒樋を受け支持する支持部と、該支持部の後方に延びた基部とを備え、該基部には、上下方向に延び、前記取付部側に突出した補強用凸条部が折曲形成されており、
前記２枚の受け板部は、前記本体部どうしが略平行となるように板面を対向させて相互に連結されていることを特徴とする軒樋受け具。
【請求項２】
請求項１において、
前記２枚の受け板部が前記本体部の板面間で固着されていることを特徴とする軒樋受け具。
【請求項３】
請求項１または２において、
前記本体部の外側を覆うように取り付けされる、少なくとも１枚の補強用板体をさらに備えた構成とされており、
前記支持部には、前記補強用凸条部と略同高さに突出した突出部が形成されており、
前記本体部と前記補強用板体とには、対応する位置に固定具挿通孔が開口され、前記２枚の受け板部と、前記補強用板体とが固定具で連結されることを特徴とする軒樋受け具。
【請求項４】
請求項３において、
前記補強用板体が、後端を前記取付部の前面に当接することで前後方向の位置合わせがなされるように形成してなることを特徴とする軒樋受け具。
【発明の詳細な説明】
【技術分野】
【０００１】
本発明は軒樋を受け支持する軒樋受け具に関する。
【背景技術】
【０００２】
従来、軒樋支持具は、基部（建物に近い部位）と、軒樋を受ける支持部とを一体に有した本体部が、板面（厚さ方向）を上下方向に向けた板状体で形成されていることが一般的である。しかし、本体部には風雨による上下の揺動や積雪の荷重により大きな負荷がかかるため、従来では、特に大きな負荷がかかる基部で曲がったり折れたりすることがあった。
【０００３】
このような問題を解決するために、板面を横方向に向け、板材を起立させた軒樋受け具も提案されている（例えば、特許文献１参照）。この軒樋受け具は１枚の板材よりなる受け板部を起立させたものであり、軒樋は軒樋の外形に合わせて形成された支持部の上端面に載せ置かれ支持される。このように受け板部が起立していれば、基部に負荷がかかっても基部で曲がったり折れたりすることはないし、軒樋受け具の前部分が垂れ下がるようなおそれもほとんどない。
【０００４】
なお、この軒樋受け具は、受け板部の前端、下端等には、受け板部に直交するよう板材よりなる前側板部、水平板部等を備えているため、受け板部が起立しただけの構造ではなく、立体的な構造とされている。そのため、上方からの負荷に対して強固なだけでなく、全体的にも頑丈な構造とされている。
【先行技術文献】
【特許文献】
【０００５】
【特許文献１】特開２００１−１７３１７７号公報
【発明の概要】
【発明が解決しようとする課題】
【０００６】
しかしながら、軒樋は薄い板材の端面に載せ置かれるため、軒樋の底部は薄板の端面により傷がつきやすい。また、前側板部や水平板部は、その板面が前方や下方に向けて大きく露出するため、美観に問題もある。
【０００７】
本発明は、このような事情を考慮して提案されたもので、その目的は、頑丈な構造であっても簡易な構造に構成でき、さらに軒樋が損傷することを防止できる軒樋支持具を提供することにある。
【課題を解決するための手段】
【０００８】
上記目的を達成するために、請求項１に記載の軒樋受け具は、２枚の受け板部を組み合わせてなる軒樋受け具であって、前記受け板部は、建物の外面より突出するようにして、板面を横方向に向けて配される本体部と、該本体部の後端より折曲延出された、前記建物の外面に固定される取付部とを備えており、前記本体部は、軒樋を受け支持する支持部と、該支持部の後方に延びた基部とを備え、該基部には、上下方向に延び、前記取付部側に突出した補強用凸条部が折曲形成されており、前記２枚の受け板部は、前記本体部どうしが略平行となるように板面を対向させて相互に連結されていることを特徴とする。
【０００９】
請求項２に記載の軒樋受け具は、前記２枚の受け板部が前記本体部の板面間で固着されていることを特徴とする。
【００１０】
請求項３に記載の軒樋受け具は、前記本体部の外側を覆うように取り付けされる、少なくとも１枚の補強用板体をさらに備えた構成とされており、前記支持部には、前記補強用凸条部と略同高さに突出した突出部が形成されており、前記本体部と前記補強用板体とには、対応する位置に固定具挿通孔が開口され、前記２枚の受け板部と、前記補強用板体とが固定具で連結されることを特徴とする。
【００１１】
請求項４に記載の軒樋受け具は、前記補強用板体が、後端を前記取付部の前面に当接することで前後方向の位置合わせがなされるように形成してなることを特徴とする。
【発明の効果】
【００１２】
請求項１に記載の軒樋受け具は上述した構成とされているため、２枚の受け板部により本体部を厚く形成でき、そのため、軒樋受け具を頑丈な構造であっても簡易な構造に構成でき、さらに軒樋が損傷することを防止することもできる。
【００１３】
請求項２に記載の軒樋受け具は上述した構成とされているため、支持部をより強固に構成することができる。
【００１４】
請求項３に記載の軒樋受け具は上述した構成とされているため、本体部の厚さ寸法を大きくした頑丈な構造とすることができる。
【００１５】
請求項４に記載の軒樋受け具は上述した構成とされているため、補強用板体を効率よく取り付けすることができる。
【図面の簡単な説明】
【００１６】
【図１】本発明の一実施形態に係る軒樋受け具の分解正面図である。
【図２】（ａ）は同軒樋受け具の分解平面図、（ｂ）は同平面図である。
【図３】（ａ）は、同軒樋受け具を骨組部とし、それに付加して用いる補強用板体の正面図、（ｂ）は同平面図である。
【図４】（ａ）は、図１に示した軒樋支持具を骨組部とした軒樋受け具の正面図、（ｂ）は同平面図である。
【図５】本発明の一実施形態に係る軒樋受け具の説明図である。（ａ）は同軒樋受け具の展開図、（ｂ）は同正面図である。
【発明を実施するための形態】
【００１７】
以下に、本発明の実施の形態について添付図面をもとに説明する。まず、図１に示した軒樋受け具１、図４に示した軒樋受け具２および図５に示した軒樋受け具３の共通的な概略基本構成について説明する。なお、特許請求の範囲および本明細書においては、軒樋受け具１、２、３が建物の外面７に取り付けられた状態を基準として、前後、左右、上下等の方向を規定した。また、図面においては、板面を横方向から見たものを正面図として図示した。
【００１８】
本軒樋受け具１、２、３は、２枚の受け板部Ａを組み合わせてなる軒樋受け具である。受け板部Ａは、建物の外面７（図４参照）より突出するようにして、板面を横方向に向けて配される本体部１０と、本体部１０の後端より折曲延出された、建物の外面７に固定される取付部２０とを備えている。
【００１９】
この本体部１０は、軒樋５を受け支持する支持部１１と、支持部１１の後方に延びた基部１６とを備え、基部１６には、上下方向に延び、取付部２０の延びる方向に突出した補強用凸条部１７が折曲形成されている。そして、これら２枚の受け板部Ａは、本体部１０どうしが略平行となるように板面を対向させて相互に連結されている。
【００２０】
これらの軒樋受け具１、２、３は、図４に示すように、建物の外面７（鼻隠、垂木等）に取り付けられ、その軒樋受け具１、２、３を複数用いて軒樋５を支持する構成とされる。以下に説明する各実施形態の軒樋受け具１、２、３はいずれも、軒樋５を底部側より受け支持する軒樋支持具である。軒樋５を受け支持する支持部１１は、軒樋５の底部側の形状に合致した形状とされており、これらの実施形態では、底部側の形状が湾曲形状の軒樋５を支持する軒樋受け具１、２、３を例示した。
【００２１】
これらの軒樋受け具１、２、３は、金属または硬質な合成樹脂を原材料とした板材を主たる材料とし、それを加工して形成されたものである。
【００２２】
ついで、図１に示した軒樋受け具１について、図２〜４を参照しながら説明する。
【００２３】
軒樋受け具１の主たる構成部とされる２枚の受け板部Ａは、図１に示すように、個別の分離した板材とされ、それらは正面視で（施工後において軒樋５を前方から見た場合の左右方向から見て）おおむね同形状とされている。
【００２４】
受け板部Ａは、板面が横方向を向いた（厚さ方向が左右方向に合致した）本体部１０と、ビス、ボルト等の固定具２２で建物の外面７に固定される取付部２０とを一体に備え、図２に示すように、平面視で略Ｌ字状に形成されている。
【００２５】
本体部１０は、軒樋５を受け支持する支持部１１と、その後方に延びた基部１６とを備え、それらは平面視で直線的に一体的に形成されている。また、取付部２０は基部１６の後端を略直角に折曲して形成されている。取付部２０は受け板部Ａ間で相互に反方向に延びてなる。これらの両受け板部Ａは、図２に示すように、平面視において対称形状とされている。
【００２６】
支持部１１は、湾曲形状の軒樋５を支持できるよう上端面が湾曲しており、板面の２箇所に上下端間に斜めに延びる突条よりなる突出部１４が折曲形成されている。
【００２７】
基部１６には、上下端間に延びる補強用凸条部１７が折曲形成されている。この補強用凸条部１７と取付部２０とは、板状の基部１６が上下方向の中途で曲がらないようにするための補強リブとして作用する。
【００２８】
また、支持部１１と基部１６とには、各２箇所において固定具挿通孔１８が開設されている。この固定具挿通孔１８は、後述する補強用板体３０を両受け板部Ａにボルト４１（固定具）、ナット４２（固定具）で固定するための固定具挿通孔３５である。
【００２９】
また、支持部１１の後部側であり、かつ基部１６の前部側の上部には、後耳固定部１３が形成されている。この後耳固定部１３は、軒樋５の後耳５ｂが収容される後耳収容凹所１３ａを有した形状とされる。
【００３０】
また、一方の受け板部Ａの支持部１１の前端側の上端部には前耳固定部１２が形成されている。この前耳固定部１２は、受け板部Ａとは別体の金属等よりなる薄板材をひねり加工して、支持部１１の前端に、上方に突出するように取り付けたものである。この前耳固定部１２は、支持部１１に固定される固定部１２ｂと、ひねられて前後に板面を向けた押さえ片１２ａとを有してなる。この押さえ片１２ａを後方に曲げることで軒樋５の前耳５ａを押さえて固定することができる。なお、この前耳固定部１２は、相互に邪魔にならなければ、他方の受け板部Ａにも設けてもよい。
【００３１】
一方、取付部２０にはビス、ボルト等の固定具２２を挿通させ建物の外面７に固定するための取付孔２１が上下に２つ開設されている。この取付孔２１は、図３において後述する補強用板体３０を取り付けた場合に、補強用板体２０の当接部３６により塞がれないように、図２に示すように取付部２０の開放端寄りに設けられている。
【００３２】
上述したように、２枚の受け板部Ａは、本体部１０どうしが略平行となるように板面を対向させて連結されているが、２枚の受け板部Ａが、板面が重合、接触した状態に直接連結されていてもよいし、図２（ａ）の２点鎖線に示すように、厚みを稼ぐために平板状の補助板２５（スペーサ）が介在されて連結されるようにしてもよい。
【００３３】
本体部１０間は、例えばスポット溶接で連結すればよいが、後述する補強用板体３０を固定するためのボルト４１を固定具挿通孔１８に通してナット４２止めするようにしてもよい。
【００３４】
このように、本軒樋受け具１は２枚の受け板部Ａが重なって構成されているため、軒樋５は、１枚の板材ではなく、その倍以上の厚みの支持部１１により支持される。そのため、軒樋５の底部は損傷しにくくなる。
【００３５】
また、基部１６も同様、受け板部Ａの２枚重ねにより、１枚のものよりも厚くなるため、積雪等の上方からの荷重にも耐え得るように、さらに頑丈になる。特に基部１６には上下方向に補強用凸条部１７が形成されているため、積雪等による荷重にも耐え得、上下方向の中途での折れ曲がりが発生しにくくなる。軒樋受け具１の前部分が垂れ下がるおそれもほとんどない。なお、支持部１１に形成した突出部１４も補強用凸条部１７と同様、上下端間に延びる突条として形成されているため、補強用凸条部１７と同様の補強効果を期待できる。
【００３６】
また、この突出部１４は、図４で後述する軒樋受け具２を形成するためのスペーサとしてのみ作用させたい場合には、突条に限らず、円形等に突出したものであってもよい。突出部１４は、補強用凸条部１７と略同高さに突出形成することが、図４に示す軒樋受け具２を構成するうえで望ましい。
【００３７】
また、図１、図２に示した軒樋受け具１を骨組部４として、他部材を付加することで、さらに厚みを増した、図４に示す軒樋受け具２を形成することができる。その軒樋受け具２について、図３および図４を参照して説明する。
【００３８】
この軒樋受け具２は、図２に示した骨組部４に、図３に示した補強用板体３０をさらに付加した構成とされている。この補強用板体３０は、受け板部Ａの横方向の外側より本体部１０を覆うように取り付けされる。補強用板体３０は、一方の受け板部Ａのみに取り付けるようにしてもよいし、図４に示すように両受け板部Ａの外側に取り付けるようにしてもよい。
【００３９】
補強用板体３０は、正面視における外形が受け板部Ａの外形とおおむね同じであり、受け板部Ａの本体部１０と輪郭がおおむね重なるように、支持部３２と基部３４と後耳固定部３３とを有した本体部３１を備えている。また、受け板部Ａの固定具挿通孔１８と略同寸法の固定具挿通孔３５が同位置に開設されている。なお、補強用板体３０の本体部３１には補強用凸条部１７および突出部１４は形成されていないが、形成されていてもよい。
【００４０】
また、補強用板体３０は取付部２０を有していない代わりに、受け板部Ａの取付部２０の前面に当接する当接部３６を備えている。したがって、補強用板体３０の基部３４の前後寸法は受け板部Ａの基部１６の寸法よりも取付部２０の厚み分小さく、よって補強用板体３０の前後の全長は受け板部Ａの全長よりも小さい。
【００４１】
また、当接部３６の幅寸法（受け板部Ａの厚さ方向の寸法）は、図４（ｂ）に示すように、取付部２０の取付孔２１に固定具２２を挿通するのに邪魔にならない程度に、受け板部Ａの取付部２０の幅寸法よりも小さい。
【００４２】
この補強用板体３０は、図４に示すように、骨組部４の左右両側に取り付けされる。補強用板体３０と骨組部４との固定は、重合する固定具挿通孔１８、３５にボルト４１よりなる固定具を通しナット４２止めすればよい。固定具としては、ボルト４１、ナット４２の代わりにリベットを用いてもよい。出荷前にあらかじめ受け板部Ａと補強用板体３０とを合体させておく場合には、リベットで固定するか、受け板部Ａ間の連結と同様、スポット溶接で固定しておけばよい。
【００４３】
なお、出荷前にあらかじめ受け板部Ａと補強用板体３０とを合体させて使用するものでは、補強板体３０にも、当接部３６ではなく、骨組部４の取付部２０と重ねた状態で建物に固定できる取付孔付きの取付部を設けてもよい。
【００４４】
このようにして形成した軒樋受け具２は、図４（ｂ）に示すように、受け板部Ａに設けた補強用凸条部１７と突出部１４とが、厚みを増大させるためのスペーサとなり得る。したがって、補強用板体３０によって全体の厚みを増すだけではなく、補強用凸条部１７と突出部１４とによっても厚みを稼ぐことができる。
【００４５】
このように、本軒樋受け具２は、図２に示した軒樋受け具１にくらべて、さらに厚みが大きくなり、支持部１１および基部１６の強度は増大する。
【００４６】
また、補強用板体３０は当接部３６を備えているため、受け板部Ａに対する前後方向の位置合わせをしやすくできる。この当接部３６は、本例のように幅寸法を小さくすることで、取付部２０に固定する固定具２２との接触を回避することができる。なお、当接部３６は本例のように折曲形状にしなくてもよいが、折曲形状にすることで、位置合わせや、受け板部Ａへの固定具４１、４２止めもしやすくなり、効率的な作業を行うことができる。
【００４７】
さらに、図２に示した軒樋受け具１や、図４に示した本軒樋受け具２によれば、広い板面が前方や下方に露出されないため、美観が悪くなるおそれもほとんどない。
【００４８】
ついで、図５に示した軒樋受け具３について説明する。
【００４９】
この軒樋受け具３は、１枚の受け板体Ｂを折曲加工してなる。図５（ａ）に示すように、２枚の受け板部Ａは一体となってつながっている。補強用凸条部１７および突条よりなる突出部１４も、受け板部Ａ間で連続形成されている。また、固定具挿通孔１８についても、折り曲げ形成したときに両受け板部Ａ間で合致する位置に設けられている。取付部２０は、受け板部Ａの後部より延設されており、破線で折り曲げることで、図５（ｂ）のように形成することができる。
【００５０】
このような受け板体Ｂを、図５（ａ）における受け板部Ａ間の中央の破線で折り曲げることで、図５（ｂ）に示す軒樋受け具３を形成することができる。なお、折曲形成しやすいように、補強用凸条部１７および突出部１４は折り曲げ部において途切れるように形成してもよい。
【００５１】
図５（ｂ）のように重ね合わせた受け板部Ａどうしは、ボルト４１を固定具挿通孔１８に通してナット４２止めして固定することが望ましいが、そもそも両受け板部Ａは一体となっているため、固定具４１、４２で固定せずに構成されもよい。
【００５２】
また、図５に示した軒樋受け具３を骨組部４として、例えば図３に示したような補強用板体３０を付加してさらに強固な軒樋受け具を形成してもよい。
【００５３】
図５に示した軒樋受け具３によれば、図１のものと同様の効果を奏することができる。また、両受け板部Ａが一体とされているため、図５（ｂ）のような軒樋受け具４の最終形状に成形することはたやすい。また、突出部１４を図例のように補強用凸条部１７と同様に上下に長く形成することで、補強用凸条部１７と同様の補強効果を期待することができる。
【符号の説明】
【００５４】
１、２、３    軒樋受け具
４            骨組部
Ａ            受け板部
Ｂ            受け板体
１０          本体部
１１          支持部
１２          前耳固定部
１２ａ        押さえ片
１２ｂ        固定部
１３          後耳固定部
１３ａ        後耳収容凹所
１４          突出部
１６          基部
１７          補強用凸条部
１８          固定具挿通孔
２０          取付部
２１          取付孔
２２          固定具
２５          補助板
３０          補強用板体
３１          本体部
３２          支持部
３３          後耳固定部
３３ａ        後耳収容凹所
３４          基部
３５          固定具挿通孔
３６          当接部
４１          ボルト（固定具）
４２          ナット（固定具）
５            軒樋
５ａ          前耳
５ｂ          後耳
７            建物の外面
【図１】
2019173377.tif 000003
【図２】
2019173377.tif 000004
【図３】
2019173377.tif 000005
【図４】
2019173377.tif 000006
【図５】
2019173377.tif 000007